(57)【要約】【課題】ケースを効果的に絶縁する構造を含む二次電池に関する。【解決手段】本発明の一実施形態にかかる二次電池は、電極組立体と、電極組立体を収容するケースと、ケースの開口に設けられるキャッププレートと、ケースの表面に結合される外部絶縁部材とを含み、外部絶縁部材は、キャッププレートに結合される絶縁カバーと、ケースの絶縁カバーと結合される絶縁テープとを含む。【選択図】図３
2013206884.tif 000002
【特許請求の範囲】
【請求項１】
電極組立体と、
前記電極組立体を収容するケースと、
前記ケースの開口に設けられるキャッププレートと、
前記ケースの表面に結合される外部絶縁部材とを含み、
前記外部絶縁部材は、
前記キャッププレートに結合される絶縁カバーと、前記ケースの前記絶縁カバーと結合される絶縁テープとを含むことを特徴とする二次電池。
【請求項２】
前記絶縁テープの面積は、前記絶縁テープが結合される前記ケースの表面の面積より大きいことを特徴とする請求項１記載の二次電池。
【請求項３】
前記ケースと前記絶縁カバーとの間に前記絶縁テープの一部が位置することを特徴とする請求項１記載の二次電池。
【請求項４】
前記ケースと前記絶縁テープとの間に前記絶縁カバーの一部が位置することを特徴とする請求項１記載の二次電池。
【請求項５】
前記絶縁カバーは、前記ケースの一端で前記キャッププレートおよび前記ケースの一部と結合され、
前記絶縁テープは、前記ケースの前記一端と前記一端の反対側に位置する前記ケースの他端との間で延長する前記ケースの側面に結合されることを特徴とする請求項１記載の二次電池。
【請求項６】
前記絶縁テープは、
前記開口が位置する前記ケースの一端と前記一端の反対側に位置する前記ケースの他端との間で延長する前記ケースの第１側面に結合される第１絶縁テープと、
前記第１側面の反対側に位置し、前記ケースの前記一端と前記ケースの前記他端との間で延長する前記ケースの第３側面に結合される第２絶縁テープとを含むことを特徴とする請求項１記載の二次電池。
【請求項７】
前記第１絶縁テープは、前記ケースの前記第１側面に結合される第１本体と、前記ケースの前記第１および第３側面の間で延長する前記ケースの第２側面に結合される第１１部分と、前記第１および第３側面の間で延長し、前記第２側面の反対側に位置する第４側面に結合される第１２部分とを含み、
前記第２絶縁テープは、前記ケースの前記第３側面に結合される第２本体と、前記第２側面に結合される第２１部分と、前記第４側面に結合される第２２部分とを含むことを特徴とする請求項６記載の二次電池。
【請求項８】
前記ケースの前記第２側面の幅は、前記第１絶縁テープの前記第１１部分と前記第２絶縁テープの前記第２１部分との幅の和より小さいことを特徴とする請求項７記載の二次電池。
【請求項９】
前記ケースの前記第２側面および前記第４側面が前記第１側面および前記第３側面と直角をなす時、
前記第１絶縁テープの前記第１１部分および前記第１２部分は、前記第１絶縁テープの前記第１本体と直角をなし、
前記第２絶縁テープの前記第２１部分および前記第２２部分は、前記第２絶縁テープの前記第２本体と直角をなすことを特徴とする請求項７記載の二次電池。
【請求項１０】
前記第２絶縁テープの一端は、前記第１絶縁テープの一端と重なることを特徴とする請求項６記載の二次電池。
【請求項１１】
前記絶縁カバーは、
前記キャッププレートが設けられる前記ケースの一端に結合される本体と、前記本体から延長し、前記ケースの前記一端と前記一端の反対側に位置する前記ケースの他端との間で延長する前記ケースの側面の一部を覆う側面部と、前記本体と前記側面部によって形成され、前記ケースの前記一端が収容される固定溝とを含むことを特徴とする請求項１記載の二次電池。
【請求項１２】
前記絶縁カバーの前記側面部は、前記絶縁テープの一部を覆うことを特徴とする請求項１１記載の二次電池。
【請求項１３】
前記絶縁テープの一部は、前記絶縁カバーの前記側面部を覆うことを特徴とする請求項１１記載の二次電池。
【請求項１４】
前記絶縁カバーの一面に接着剤が塗布され、前記接着剤が塗布された絶縁カバーの前記一面は、前記キャッププレートおよび前記ケースに結合されることを特徴とする請求項１記載の二次電池。
【請求項１５】
前記絶縁テープは、前記開口の反対側に位置する前記ケースの下端を覆うことを特徴とする請求項１記載の二次電池。
【請求項１６】
前記ケースの前記下端を覆う前記絶縁テープの一部は、前記開口が位置する前記ケースの一端と前記一端と反対側に位置する前記ケースの他端との間で延長する前記ケースの側面に結合される前記絶縁テープの一部と角をなすことを特徴とする請求項１５記載の二次電池。
【請求項１７】
前記ケースの下端に結合される前記絶縁テープの一部の幅は、前記ケースの下端の幅より広いことを特徴とする請求項１６記載の二次電池。
【請求項１８】
前記外部絶縁部材は、前記開口の反対側に位置する前記ケースの下部に結合される下部絶縁カバーをさらに含むことを特徴とする請求項１記載の二次電池。
【請求項１９】
前記下部絶縁カバーは、前記ケースの下部を覆う本体と、前記本体から延長し、前記絶縁テープの一部を覆う側面と、前記本体と側面によって形成され、前記ケースの下部が収容される収容溝とを含むことを特徴とする請求項１８記載の二次電池。
【請求項２０】
前記絶縁テープの厚さは、７０μｍ〜１００μｍであることを特徴とする請求項１記載の二次電池。
【発明の詳細な説明】
【技術分野】
【０００１】
本発明は、二次電池に関するものであって、より詳細には、ケースを効果的に絶縁する構造を含む二次電池に関するものである。
【背景技術】
【０００２】
二次電池（ｒｅｃｈａｒｇｅａｂｌｅ  ｂａｔｔｅｒｙ）は、充電不可能な一次電池とは異なり、充電および放電が可能な電池である。低容量の二次電池は、携帯電話やノートパソコンおよびビデオカメラのように携帯可能な小型電子機器に用いられ、大容量電池は、ハイブリッド自動車などのモータ駆動用電源または大容量電力貯蔵装置として用いられている。
【０００３】
最近、高エネルギー密度の非水電解液を用いた高出力二次電池が開発されており、前記高出力二次電池は、大電力を必要とする機器、例えば、電気自動車などのモータ駆動に使用できるように複数の二次電池を直列に連結して大容量の電池モジュールとして構成される。このような二次電池は円筒型や角型などとなり得る。
【０００４】
ここで、二次電池のケースの表面は、絶縁性物質でコーティングされるか、射出絶縁性テープでケースの表面が囲まれ、二次電池の内部の電流がケースを通して二次電池の外部に抜け出ることが防止され、隣接する二次電池との電気的接触が遮断される。
【０００５】
ただし、ケースの表面を絶縁性物質でコーティングするとしても、コーティング層の厚さが一定に形成されるようにすることと、キャッププレートに設けられる各種構成のため、キャッププレートが位置するケースの表面全体を外部に露出しないようにコーティングできない問題があった。
【０００６】
また、ケースの表面を絶縁性テープで囲む場合、ケースのそれぞれの表面を囲む絶縁性テープの間にケースの表面の一部が外部に露出する問題が発生することがあった。
結局、ケースの表面が不完全に絶縁されることにより、ケースの外部に電気が排出されたり、隣接する二次電池の間に短絡が発生したりすることがあった。
さらに、このような問題を克服するために、ケースの表面を完全に密閉するためにはケースの表面密閉工程が複雑になるという問題があった。
【発明の概要】
【発明が解決しようとする課題】
【０００７】
そこで、本発明は、このような問題を解決するためになされたものであって、本発明の一態様は、ケースの表面を完全に絶縁可能な構造を含む二次電池を提供するものである。
また、本発明の他の態様は、ケースの表面を容易に絶縁可能な構造を含む二次電池を提供するものである。
【課題を解決するための手段】
【０００８】
本発明の一実施形態にかかる二次電池は、電極組立体と、電極組立体を収容するケースと、ケースの開口に設けられるキャッププレートと、ケースの表面に結合される外部絶縁部材とを含み、外部絶縁部材は、キャッププレートに結合される絶縁カバーと、ケースの絶縁カバーと結合される絶縁テープとを含む。
また、絶縁テープの面積は、絶縁テープが結合されるケースの表面の面積より大きくなり得る。
【０００９】
また、ケースと絶縁カバーとの間に絶縁テープの一部が位置することができる。
さらに、ケースと絶縁テープとの間に絶縁カバーの一部が位置することができる。
また、絶縁カバーは、ケースの一端でキャッププレートおよびケースの一部と結合でき、絶縁テープは、ケースの一端と一端の反対側に位置するケースの他端との間で延長するケースの側面に結合できる。
【００１０】
さらに、絶縁テープは、開口が位置するケースの一端と一端の反対側に位置するケースの他端との間で延長するケースの第１側面に結合される第１絶縁テープと、第１側面の反対側に位置し、ケースの一端とケースの他端との間で延長するケースの第３側面に結合される第２絶縁テープとを含むことができる。
【００１１】
また、第１絶縁テープは、ケースの第１側面に結合される第１本体と、ケースの第１および第３側面の間で延長するケースの第２側面に結合される第１１部分と、第１および第３側面の間で延長し、第２側面の反対側に位置する第４側面に結合される第１２部分とを含むことができ、第２絶縁テープは、ケースの第３側面に結合される第２本体と、第２側面に結合される第２１部分と、第４側面に結合される第２２部分とを含むことができる。
【００１２】
さらに、ケースの第２側面の幅は、第１絶縁テープの第１１部分と第２絶縁テープの第２１部分との幅の和より小さくなり得る。
なお、ケースの第２側面および第４側面が第１側面および第３側面と直角をなす時、第１絶縁テープの第１１部分および第１２部分は、第１絶縁テープの第１本体と直角をなし、第２絶縁テープの第２１部分および第２２部分は、第２絶縁テープの第２本体と直角をなすことができる。
【００１３】
さらに、第２絶縁テープの一端は、第１絶縁テープの一端と重なることができる。
また、絶縁カバーは、キャッププレートが設けられるケースの一端に結合される本体と、本体から延長し、ケースの一端と一端の反対側に位置するケースの他端との間で延長するケースの側面の一部を覆う側面部と、本体と側面部によって形成され、ケースの一端が収容される固定溝とを含むことができる。
【００１４】
さらに、絶縁カバーの側面部は、絶縁テープの一部を覆うことができる。
なお、絶縁テープの一部は、絶縁カバーの側面部を覆うことができる。
また、絶縁カバーの一面に接着剤が塗布され、接着剤が塗布された絶縁カバーの一面は、キャッププレートおよびケースに結合できる。
【００１５】
さらに、絶縁テープは、開口の反対側に位置するケースの下端を覆うことができる。
また、ケースの下端を覆う絶縁テープの一部は、開口が位置するケースの一端と、一端と反対側に位置するケースの他端との間で延長するケースの側面に結合される絶縁テープの一部と角をなすことができる。
【００１６】
さらに、ケースの下端に結合される絶縁テープの一部の幅は、ケースの下端の幅より広くなり得る。
また、外部絶縁部材は、開口の反対側に位置するケースの下部に結合される下部絶縁カバーをさらに含むことができる。
【００１７】
さらに、下部絶縁カバーは、ケースの下部を覆う本体と、本体から延長し、絶縁テープの一部を覆う側面と、本体と側面によって形成され、ケースの下部が収容される収容溝とを含むことができる。
なお、絶縁テープの厚さは、７０μｍ〜１００μｍであり得る。
【発明の効果】
【００１８】
このように、本発明の一態様によれば、ケースの表面が外部に露出しないようにケースの表面を外部絶縁部材を用いて容易に絶縁することが可能である。
【図面の簡単な説明】
【００１９】
【図１】本発明の第１実施形態にかかる二次電池を示す斜視図である。
【図２】図１におけるＩＩ−ＩＩ線断面図である。
【図３】図１の二次電池の分解斜視図である。
【図４】図１の二次電池の変形例にかかる二次電池を示す斜視図である。
【図５】本発明の第２実施形態にかかる二次電池の分解斜視図である。
【図６】本発明の第３実施形態にかかる二次電池の分解斜視図である。
【図７】本発明の第４実施形態にかかる二次電池の分解斜視図である。
【図８】本発明の第５実施形態にかかる二次電池の分解斜視図である。
【図９】図８の二次電池の結合状態を示す斜視図である。
【発明を実施するための形態】
【００２０】
以下、添付した図面を参考にして、本発明の属する技術分野における通常の知識を有する者が容易に実施できるように本発明の実施形態を詳細に説明する。しかし、本発明は、種々の異なる形態で実現可能であり、以下に説明する実施形態に限定されない。
図面において、説明の明確化のために、層または領域の大きさは誇張して示されることがある。１つの層または要素が他の層または基材の「上に」あるとは、直接的に上にあるか、その間にさらに他の層を介在していると理解される。そして、１つの層が他の層の「下」にあるとは、直接的に下にあるか、その間に１つ以上のさらに他の層を介在していると理解される。さらに、１つの層が２つの層の「間」にあるとは、その１つの層が２つの層の間の唯一の層であるか、その間に１つ以上のさらに他の層が介在していると理解される。そして、本明細書および図面において、同一の符号は同一の構成要素を表す。
【００２１】
図１は、本発明の第１実施形態にかかる二次電池を示す斜視図であり、図２は、図１におけるＩＩ−ＩＩ線断面図である。また、図３は、図１の二次電池の分解斜視図である。
図１および図２を参照して説明すれば、本実施形態にかかる二次電池１００は、第１電極１１と第２電極１２との間にセパレータ１３を介在して巻き取られて形成された複数の電極組立体１０と、電極組立体１０が内蔵されるケース２６と、電極組立体１０と第１電極集電部材５０または第２電極集電部材７０に電気的に連結される第１端子部３０および第２端子部４０と、ケース２６に形成された開口に結合されるキャッププレート２０と、ケース２６内に設けられる第１および第２内部絶縁部材６０、８０とを含むことができる。
【００２２】
本実施形態にかかる二次電池１００は、リチウムイオン二次電池であって角型のものを例として説明する。ただし、本発明がこれに制限されるものではなく、本発明は、円筒型電池やリチウムポリマー電池などの電池に適用可能である。
また、第１電極１１は負極、第２電極１２は正極から構成されてもよく、逆に、第１電極１１は正極、第２電極１２は負極から構成されてもよい。
電極組立体１０は、第１電極１１と第２電極１２およびセパレータ１３を共に巻き取ることにより、ゼリーロール形態からなり得る。第１電極１１と第２電極１２はそれぞれ、薄板の金属箔からなる集電体と、それぞれの集電体の表面にコーティングされる活物質とを含むことができる。
【００２３】
また、第１電極１１と第２電極１２は、集電体に活物質がコーティングされるコーティング部と、集電体に活物質がコーティングされていない第１電極無地部１１ａおよび第２電極無地部１２ａとに区画できる。
ここで、コーティング部は、電極組立体１０において、第１電極１１および第２電極１２の大部分を形成し、第１電極無地部および第２電極無地部１１ａ、１２ａは、ゼリーロール状態でコーティング部の両側にそれぞれ配置できる。
【００２４】
ただし、本発明がこれに制限されるものではなく、前記電極組立体１０は、複数のシート（ｓｈｅｅｔ）からなる第１電極１１と第２電極１２とがセパレータ１３を挟んで積層された構造からなってもよい。
このような電極組立体１０の第１電極無地部１１ａには、第１端子部３０が第１電極集電部材５０を介して電気的に連結でき、第２電極無地部１２ａには、第２端子部４０が第２電極集電部材７０を介して電気的に連結できる。
【００２５】
また、第１および第２端子部３０、４０は、キャッププレート２０の反対側の末端に位置し、キャッププレート２０を貫通して二次電池１００の外部に露出して設置できる。
ケース２６は、略直方体形状となり、一面には開放された開口が形成できる。また、キャッププレート２０は、ケース２６の開放された開口部分に位置し、ケース２６の内部に電極組立体１０を収容することができる。
【００２６】
キャッププレート２０は、薄い板材からなり、ケース２６の開口に結合されて開口を密閉することができる。また、キャッププレート２０には、密閉されたケース２６の内部に電解液を注入する電解液注入口２１が形成され、電解液注入口２１は、電解液注入後、密封栓２２によって密封できる。さらに、キャッププレート２０には、密閉されたケース２６の内部圧力が設定された圧力以上の時に破断するベントプレート２４が設けられるベントホール２３が形成できる。
【００２７】
第１および第２端子部３０、４０は、第１および第２リベット３１、４１と、第１および第２端子プレート３２、４２と、第１および第２端子プレート３２、４２とキャッププレート２０との間に設けられる第１端子絶縁部材３３と、導電性の連結部材４３と、第１および第２ガスケット３４、４４とを含むことができる。
【００２８】
本実施形態によれば、キャッププレート２０は、導線性の連結部材４３によって第２端子部４０と電気的に連結できるため、負極または正極の極性を有することが可能である。
ただし、本実施形態にかかる第１端子部３０は、プレートタイプの端子でない、円柱形状となる端子（図示せず）を含むことができる。
【００２９】
また、キャッププレート２０と第２リベット４１との間には、導電性の連結部材４３の代わりに、絶縁性の絶縁部材が設けられることも可能である。したがって、キャッププレート２０は第２端子部４０と電気的に連結されなくてもよい。
さらに、本実施形態にかかる外部絶縁部材９０は、絶縁カバー９１と、第１絶縁テープ９２および第２絶縁テープ９３を含む絶縁テープとを含むことができる。
ここで、絶縁カバー９１は、第１および第２絶縁テープ９２、９３と結合され、ケース２６の表面に結合できる。
【００３０】
以下、図３を参照して、本実施形態にかかる外部絶縁部材９０とケース２６の表面との結合関係をより詳細に説明する。
図３を参照して説明すれば、本実施形態にかかるケース２６は、略直方体形状にケース２６の開口から延長して形成される第１ないし第４側面２６１、２６２、２６３、２６４と、キャッププレート２０が設けられるケース上部２６５と、ケース上部２６５の反対側に位置するケース下部２６６とを含むことができる。
【００３１】
また、本実施形態にかかるケース２６の第１および第３側面２６１、２６３は、第２および第４側面２６２、２６４より大きい面積を有して互いに対向して位置し、第２および第４側面２６２、２６４によって連結できる。
ただし、本実施形態にかかるケース２６は、直方体形状に限定されず、ケース２６の形状は、円筒状、立方体状またはパウチ状に作られてもよい。
また、本実施形態にかかる外部絶縁部材９０の第１および第２絶縁テープ９２、９３は、絶縁性物質（例：ポリエチレンテレフタレート（ｐｏｌｙｅｔｈｙｌｅｎｅ  ｔｅｒｅｐｈｔｈａｌａｔｅ））で作られてもよい。
【００３２】
本実施形態にかかる第１および第２絶縁テープ９２、９３の一方の面には接着剤が塗布され得、本実施形態にかかる第１および第２絶縁テープ９２、９３の厚さは、７０μｍ〜１００μｍの間で形成されることが好ましい。
また、本実施形態によれば、第１絶縁テープ９２のそれぞれの末端と第２絶縁テープ９３のそれぞれの末端とが互いに重なるようにケース２６の側面に結合され、ケース２６の側面の全部分が第１絶縁テープ９２および第２絶縁テープ９３に囲まれてもよい。
【００３３】
より詳細には、本実施形態にかかる第１絶縁テープ９２は、第１本体９２ａと、第１１部分９２ｂと、第１２部分９２ｃとを含むことができる。
ここで、本実施形態にかかる第１絶縁テープ９２の第１１および第１２部分９２ｂ、９２ｃは、第１本体９２ａの両末端からそれぞれ延長して形成できる。
したがって、本実施形態によれば、第１絶縁テープ９２の第１本体９２ａは、ケース２６の第１側面２６１に結合でき、第１１および第１２部分９２ｂ、９２ｃは、ケース２６の第２および第４側面２６２、２６４のそれぞれに結合できる。
ここで、図３に示されるように、第１１および第１２部分９２ｂ、９２ｃは、第１本体９２ａの両側末端で矢印方向に折曲げられ、ケース２６の第２および第４側面２６２、２６４に結合できる。
【００３４】
また、本実施形態にかかる第２絶縁テープ９３の第２本体９３ａは、第１絶縁テープ９２の第１本体９２ａが結合されたケース２６の第１側面２６１に対向して位置したケース２６の第３側面２６３に結合できる。
ここで、第２絶縁テープ９３は、第２本体９３ａの両側末端から延長して形成される第２１および第２２部分９３ｂ、９３ｃを含むことができる。
【００３５】
したがって、第２本体９３ａがケース２６の第３側面２６３に結合される時、第２１および第２２部分９３ｂ、９３ｃは、図３に示されるように矢印方向に折曲げられ、ケース２６の第２側面２６２およびケース２６の第２側面２６２に結合された第１絶縁テープ９２の第１１部分９２ｂと結合できる。
ここで、本実施形態にかかる第１１部分９２ｂの幅Ｗ２と第２１部分９３ｂの幅Ｗ３との和が、ケース２６の第２側面２６２の幅Ｗ１と等しいか、ケース２６の第２側面２６２の幅Ｗ１より小さい場合、第１１部分９２ｂの幅Ｗ２と第２絶縁テープ９３の第２１部分９３ｂとの間にケース２６の第２側面２６２が外部に露出し得る。
【００３６】
したがって、本実施形態にかかる第１絶縁テープ９２の第１１部分９２ｂの幅Ｗ２と第２絶縁テープ９３の第２１部分９３ｂの幅Ｗ３との和は、ケース２６の第２側面２６２の幅Ｗ１より広いことが好ましい。
結局、第１絶縁テープ９２の第１１部分９２ｂの幅と第２絶縁テープ９３の第２１部分９３ａの幅との和は、ケース２６の第２側面２６２の幅より広くなり得る。
【００３７】
また、本実施形態にかかる第１絶縁テープ９２の第１１部分９２ｂの幅Ｗ２と第１２部分９２ｃの幅とは略等しく形成でき、第２絶縁テープ９３の第２１部分９３ｂの幅Ｗ３と第２２部分９３ｃの幅とは略等しく形成できる。
したがって、第１絶縁テープ９２の第１２部分９２ｃの幅と第２絶縁テープ９３の第２２部分９３ｃの幅との和は、ケース２６の第４側面２６４の幅より広くなり得る。
【００３８】
結局、本実施形態にかかる第１および第２絶縁テープ９２、９３を含む絶縁テープの、ケース２６の側面に結合される部分の面積は、ケース２６の側面の面積より広くなり得る。
また、本実施形態によれば、第２絶縁テープ９３の第２１および第２２部分９３ｂ、９３ｃと第１絶縁テープ９２の第１１および第２２部分９２ｂ、９２ｃとが重なる部分には段差が形成され、ケース２６の表面に発生した湿気が流れる通路となり得る。
したがって、本実施形態によれば、ケース２６の表面に発生した湿気が段差に沿ってケース２６の表面から排出されることが可能である。
【００３９】
本実施形態にかかる絶縁カバー９１は、真空成形または射出成形されて形成され得、ＡＢＳ樹脂（ａｃｒｙｌｏｎｉｔｒｉｌｅ  ｂｕｔａｄｉｅｎｅ  ｓｔｙｒｅｎｅ  ｃｏｐｏｌｙｍｅｒ）、ポリプロピレン（Ｐｏｌｙｐｒｏｐｙｌｅｎｅ）、ポリエチレン（Ｐｏｌｙｅｔｈｙｌｅｎｅ）、ポリカーボネート（Ｐｏｌｙｃａｒｂｏｎａｔｅ）およびポリエチレンテレフタレート（Ｐｏｌｙｅｔｈｙｌｅｎｅ−ｔｅｒｅｐｈｔｈａｌａｔｅ）のうちの１つの物質で作られてもよい。
【００４０】
また、本実施形態にかかる絶縁カバー９１は、本体９１１と、本体９１１から突出して形成された側面部９１２と、本体９１１と側面部９１２との間に形成された固定溝９１３とを含むことができる。
より詳細には、本実施形態にかかる絶縁カバー９１の本体９１１は、第１端子結合ホール９１１ａと、電解液注入口結合ホール９１１ｂと、ベントプレート結合ホール９１１ｃと、第２端子結合ホール９１１ｄとを含むことができる。
【００４１】
本実施形態によれば、絶縁カバー９１がキャッププレート２０の位置したケース上部２６５に結合する時、絶縁カバー９１の本体９１１の第１および第２端子結合ホール９１１ａ、９１１ｄには、第１および第２端子部３０、４０のそれぞれが挿入されて結合できる。
【００４２】
また、電解液注入口結合ホール９１１ｂには、電解液注入口２１を密閉する密封栓２２が挿入されて結合でき、ベントプレート結合ホール９１１ｃには、ベントプレート２４が挿入されて結合されることが可能である。
したがって、本実施形態によれば、絶縁カバー９１がケース上部２６５に結合される時、絶縁カバー９１の側面９１２は、第１および第２絶縁テープ９２、９３の上に位置することができる。
ここで、本実施形態にかかる絶縁カバー９１は、ケース２６に締まり嵌めで結合されるか、ケース２６に対向する絶縁カバー９１の一面に接着剤が塗布されてケース２６と結合されることが可能である。
したがって、本実施形態によれば、絶縁カバー９１は、ケース上部２６５に密着して結合されることが可能である。
【００４３】
また、本実施形態によれば、絶縁カバー９１の側面９１２は、第１絶縁テープ９２の第１１部分９２ｂの角部分と第２絶縁テープ９３の第２１部分９３ｂの角部分と、並びに第１絶縁テープ９２の第１２部分９２ｃの角部分と第２絶縁テープ９３の第２２部分９３ｃの角部分とが出会う部分を覆うことができる。
したがって、本実施形態によれば、第１絶縁テープ９２の第１１部分９２ｂの角部分および第２絶縁テープ９３の第２１部分９３ｂの角部分におけるケース２６の表面の露出を防止することができる。
【００４４】
また、本実施形態にかかる外部絶縁部材９０の絶縁カバー９１は、キャッププレート２０と第１および第２絶縁テープ９２、９３との間の空間におけるケース２６の表面の露出を防止することができる。
結局、本実施形態によれば、ケース２６の第１ないし第４側面２６１、２６２、２６３、２６４とケース上部２６５が外部に露出しないように密閉することができ、ケース２６の表面に外部絶縁部材９０が容易に結合されることが可能である。
【００４５】
また、本実施形態によれば、第１および第２絶縁テープ９２、９３は、一定の厚さ（例：７０μｍ〜１００μｍの間の厚さ）を有しているため、ケース２６の表面が均一に絶縁されることが可能である。
【００４６】
図４は、図１の二次電池の変形例にかかる二次電池を示す斜視図である。
ここで、本実施形態にかかる二次電池１０１は、外部絶縁部材１９０の絶縁カバー１９１と第１および第２絶縁テープ１９２、１９３との結合順序を除いては、第１実施形態にかかる二次電池１００と同一であるので、以下では同一の構成に関する詳細な説明は省略する。
【００４７】
図４を参照して説明すれば、本実施形態にかかる外部絶縁部材１９０の第１および第２絶縁テープ１９２、１９３は、絶縁カバー１９１の上に設けられることが可能である。
つまり、本実施形態によれば、絶縁カバー１９１の上に第１および第２絶縁テープ１９２、１９３が結合できる。
したがって、本実施形態にかかる絶縁カバー１９１の長さＬ２は、第１実施形態にかかる第１絶縁カバー９１の長さＬ１より第１および第２絶縁テープ１９２、１９３の厚さの和だけ略短く形成できる。
【００４８】
本実施形態によれば、第１および第２絶縁テープ１９２、１９３それぞれの角の出会う部分に形成される段差が絶縁カバー１９１の上に位置するため、絶縁カバー１９１と第１および第２絶縁テープ１９２、１９３との間に空間が形成されないことが可能である。
したがって、絶縁カバー１９１が第１および第２絶縁テープ１９２、１９３の重なる部分に形成される段差の上に位置する場合、段差と絶縁カバー１９１との間に形成される空間が発生しないため、ケース２６の表面と外部とがより効果的に絶縁されることが可能である。
【００４９】
また、本実施形態によれば、絶縁カバー１９１の上に第１および第２絶縁テープ１９２、１９３が位置するため、絶縁カバー１９１が第１および第２絶縁テープ１９２、１９３によってケース２６に安定的に固定できる。
【００５０】
図５は、本発明の第２実施形態にかかる二次電池の分解斜視図である。
図５を参照して説明すれば、本実施形態にかかる二次電池２００は、外部絶縁部材２９０を除いては、第１実施形態にかかる二次電池１００と同一の構成からなるので、以下では同一の構造に関する詳細な説明は省略する。
【００５１】
本実施形態にかかる外部絶縁部材２９０は、絶縁カバー２９１と、第１絶縁テープ２９２および第２絶縁テープ２９３を含む絶縁テープとを含むことができる。
ここで、本実施形態にかかる絶縁カバー２９１は、第１実施形態にかかる絶縁カバー９１と同一の構成であるので、以下では詳細な説明は省略する。
本実施形態にかかる絶縁カバー２９１は、第１および第２絶縁テープ２９２、２９３と結合されてケース２６の表面に結合できる。
【００５２】
以下、図５を参照して、本実施形態にかかる外部絶縁部材２９０とケース２６の表面との結合関係をより詳細に説明する。
本実施形態にかかる外部絶縁部材２９０の第１および第２絶縁テープ２９２、２９３は、絶縁性物質（例：ポリエチレンテレフタレート（ｐｏｌｙｅｔｈｙｌｅｎｅ  ｔｅｒｅｐｈｔｈａｌａｔｅ））で作られてもよい。
ここで、第１および第２絶縁テープ２９２、２９３の一方の面には接着剤が塗布できる。この時、本実施形態にかかる第１および第２絶縁テープ２９２、２９３の厚さは、７０μｍ〜１００μｍの間で形成されることが好ましい。
【００５３】
また、本実施形態にかかる絶縁テープは、ケース２６の開口の反対側に位置するケース２６の下端を覆うことができる。
さらに、ケース２６の下端を覆う絶縁テープの一部は、ケースの一端と他端との間で延長するケースの側面に結合される絶縁テープの一部と角をなすことができる。
【００５４】
また、ケースの下端に結合される絶縁テープ部分の幅は、ケースの下端の幅より広くなり得る。
より詳細には、第１絶縁テープ２９２は、第１本体２９２ａと、第１１部分２９２ｂと、第１２部分２９２ｃと、第１３部分２９２ｄとを含むことができる。
ただし、本実施形態にかかる第１絶縁テープ２９２の第１本体２９２ａ、第１１部分２９２ｂおよび第１２部分２９２ｃのそれぞれは、第１実施形態にかかる第１絶縁テープ９２の第１本体９２ａ、第１１部分９２ｂおよび第１２部分９２ｃと同一の構成であるので、以下では詳細な説明は省略する。
【００５５】
本実施形態にかかる第１絶縁テープ２９２の第１３部分２９２ｄは、第１本体２９２ａの一側末端から延長して形成できる。
より詳細には、本実施形態にかかる第１絶縁テープ２９２の第１３部分２９２ｄは、第１１および第１２部分２９２ｂ、２９２ｃが延長した方向と略垂直な方向に延長して形成できる。
【００５６】
したがって、本実施形態にかかる第１絶縁テープ２９２が直方体形状のケース２６の表面に結合される時、第１絶縁テープ２９２の第１本体２９２ａは、ケース２６の第１側面２６１に結合され、第１１および第１２部分２９２ｂ、２９２ｃのそれぞれは、ケース２６の第２および第４側面２６２、２６４のそれぞれに結合され、第１絶縁テープ２９２の第１３部分２９２ｄは、ケース２６の狭い側面を連結するケース下部２６６に結合できる。
ここで、本実施形態にかかる第１絶縁テープ２９２の第１３部分２９２ｄの幅Ｗ４は、第１３部分２９２ｄが結合されるケース下部２６６の幅Ｗ５と略等しいか広く形成できる。
したがって、第１絶縁テープ２９２の第１３部分２９２ｄの幅は、ケース下部２６６の幅より広くなり得る。
【００５７】
また、本実施形態にかかる第２本体２９３ａ、第２１部分２９３ｂおよび第２２部分２９３ｃを含む第２絶縁テープ２９３は、第１実施形態にかかる第２絶縁テープ９３と同一の構成であるので、以下では詳細な説明は省略する。
結局、本実施形態にかかる外部絶縁部材２９０は、ケース２６の第１ないし第４側面２６１、２６２、２６３、２６４とケース上部２６５およびケース下部２６６に結合できる。
したがって、本実施形態にかかる外部絶縁部材２９０は、ケース２６の表面全体が外部に露出するのを遮断し、ケース２６を完全に密閉することが可能である。
【００５８】
図６は、本発明の第３実施形態にかかる二次電池の分解斜視図である。
図６を参照して説明すれば、本実施形態にかかる二次電池３００は、外部絶縁部材３９０を除いては、第１実施形態にかかる二次電池１００と同一の構成を含むので、以下では同一の構成に関する詳細な説明は省略する。
本実施形態にかかる二次電池３００の外部絶縁部材３９０は、絶縁カバー３９１と、第１絶縁テープ３９２と、第２絶縁テープ３９３と、下部絶縁カバー３９４とを含むことができる。
ただし、本実施形態にかかる外部絶縁部材３９０の絶縁カバー３９１、第１絶縁テープ３９２および第２絶縁テープ３９３は、第１実施形態にかかる絶縁部材９０の絶縁カバー９１、第１絶縁テープ９２および第２絶縁テープ９３と同一の構成であるので、以下では具体的な説明は省略する。
【００５９】
本実施形態にかかる外部絶縁部材３９０の下部絶縁カバー３９４は、本体３９４ａと、本体３９４ａから延長する側面３９４ｂと、本体３９４ａと側面３９４ｂとの間に位置する収容溝３９４ｃとを含むことができる。
ここで、本実施形態にかかる下部絶縁カバー３９４は、真空成形または射出成形されて形成され得、ＡＢＳ樹脂（ａｃｒｙｌｏｎｉｔｒｉｌｅ  ｂｕｔａｄｉｅｎｅ  ｓｔｙｒｅｎｅ  ｃｏｐｏｌｙｍｅｒ）、ポリプロピレン（Ｐｏｌｙｐｒｏｐｙｌｅｎｅ）、ポリエチレン（Ｐｏｌｙｅｔｈｙｌｅｎｅ）およびポリカーボネート（Ｐｏｌｙｃａｒｂｏｎａｔｅ）のうちの１つの物質で作られてもよい。
【００６０】
本実施形態にかかるケース２６は、第１および第２絶縁テープ３９２、３９３がケース２６に結合された状態で、ケース下部２６６が下部絶縁カバー３９４の収容溝３９４ｃに挿入されて固定できる。
ここで、下部絶縁カバー３９４とケース２６は、締まり嵌め方式で結合できる。
ただし、下部絶縁カバー３９４とケース２６は、締まり嵌め方式で結合されることに限定されず、下部絶縁カバー３９４とケース２６は、下部絶縁カバー３９４に結合される両面テープ（図示せず）によって結合されることも可能である。
【００６１】
本実施形態によれば、下部絶縁カバー３９４がケース下部２６６に結合される時、下部絶縁カバー３９４の側面３９４ｂが第１および第２絶縁テープ３９２、３９３の上に位置することができる。
したがって、本実施形態によれば、下部絶縁カバー３９４は、ケース下部２６６に密着して結合されることが可能である。
【００６２】
本実施形態にかかる下部絶縁カバー３９４の側面３９４ｂは、第１絶縁テープ３９２の角部分と第２絶縁テープ３９３の角部分とが出会う部分を覆うことができる。
したがって、本実施形態によれば、第１絶縁テープ３９２の角部分および第２絶縁テープ３９３の角部分におけるケース２６の表面と外部との接触が効果的に遮断されることが可能である。
【００６３】
また、本実施形態にかかる外部絶縁部材３９０の下部絶縁カバー３９４は、ケース下部２６６と第１および第２絶縁テープ３９２、３９３との間の空間におけるケース２６の表面の露出を防止することができる。
【００６４】
図７は、本発明の第４実施形態にかかる二次電池の分解斜視図である。
図７を参照して説明すれば、本実施形態にかかる二次電池４００は、外部絶縁部材４９０を除いては、第３実施形態にかかる二次電池３００と同一の構成からなるので、以下では同一の構成に関する詳細な説明は省略する。
【００６５】
本実施形態にかかる二次電池４００の外部絶縁部材４９０は、絶縁カバー４９１と、絶縁テープ４９２と、下部絶縁カバー４９３とを含むことができる。
ただし、本実施形態にかかる外部絶縁部材４９０の絶縁カバー４９１および下部絶縁カバー４９３は、第３実施形態にかかる絶縁カバー３９１および下部絶縁カバー３９４と同一の構成であるので、以下では詳細な説明は省略する。
【００６６】
本実施形態にかかる外部絶縁部材４９０の絶縁テープ４９２は、第１開口４９２ａと、本体４９２ｂと、第２開口４９２ｃとを含むことができる。
より詳細には、本実施形態にかかる絶縁テープ４９２の本体４９２ｂは、ケース２６が挿入される中空部を含むことができる。ここで、絶縁テープ４９２の本体４９２ｂは射出成形で形成された後、本体４９２ｂの中空部には接着剤が塗布できる。
したがって、本実施形態によれば、ケース２６が絶縁テープ４９２の中空部に挿入されると、絶縁テープ４９２の本体４９２ｂとケース２６の第１ないし第４側面２６１、２６２、２６３、２６４は、絶縁テープ４９２がケース２６の表面に結合できる。
【００６７】
また、本実施形態にかかる絶縁カバー４９１は、絶縁テープ４９２の第１開口４９２ａが位置した部分に結合され、下部絶縁カバー４９３は、絶縁テープ４９２の第２開口４９２ｃが位置した部分に結合できる。
したがって、本実施形態によれば、ケース２６のすべての面（例：直方体形状のケースの６つの面）が絶縁部材４９０によって密閉されることが可能である。
また、本実施形態によれば、ケース２６が絶縁テープ４９２に挿入されて絶縁テープ４９２と結合されるため、ケース２６の表面の絶縁が容易になり得る。
【００６８】
図８は、本発明の第５実施形態にかかる二次電池の分解斜視図であり、図９は、図８の二次電池の結合状態を示す斜視図である。
図８および図９を参照して説明すれば、本実施形態にかかる二次電池５００は、外部絶縁部材５９０を除いては、第１実施形態にかかる二次電池１００と同一の構成からなるので、以下では同一の構成に関する詳細な説明は省略する。
【００６９】
本実施形態にかかる二次電池５００の外部絶縁部材５９０は、絶縁カバー５９１と、絶縁テープ５９２とを含むことができる。
ただし、本実施形態にかかる外部絶縁部材５９０の絶縁カバー５９１は、第１実施形態にかかる外部絶縁部材９０の絶縁カバー９１と同一の構成であるので、以下では詳細な説明は省略する。
【００７０】
本実施形態にかかる外部絶縁部材５９０の絶縁テープ５９２は、絶縁性物質（例：ポリエチレンテレフタレート（ｐｏｌｙｅｔｈｙｌｅｎｅ  ｔｅｒｅｐｈｔｈａｌａｔｅ））で作られてもよい。
また、絶縁テープ５９２の一方の面には接着剤が塗布できる。この時、本実施形態にかかる絶縁テープ５９２の厚さは、７０μｍ〜１００μｍの間で形成されることが好ましい。
より詳細には、本実施形態にかかる絶縁テープ５９２は、第１部分５９２ａと、第２部分５９２ｂと、第３部分５９２ｃと、第４部分５９２ｄと、第５部分５９２ｅとを含むことができる。
【００７１】
図８および図９を参照して説明すれば、本実施形態にかかる絶縁テープ５９２の第１部分５９２ａは、ケース２６の第３側面２６３に結合できる。この時、第１部分５９２ａの幅Ｗ５３とケースの第１側面２６１の幅Ｗ５１とは略等しくなり得る。
また、本実施形態にかかる第２部分５９２ｂおよび第４部分５９２ｄのそれぞれは、ケース２６の第２および第４側面２６２、２６４のそれぞれに結合でき、第２部分５９２ｂの幅Ｗ５４および第４部分の幅Ｗ５５それぞれの幅は、ケース２６の第２側面の幅Ｗ５２と等しくなり得る。
【００７２】
さらに、本実施形態にかかる第３部分５９２ｃおよび第５部分５９２ｅのそれぞれは、ケース２６の第１側面２６１に結合できる。
ここで、本実施形態にかかる第３部分５９２ｃの幅Ｗ５６と第５部分５９２ｅの幅Ｗ５７との和が、ケース２６の広い側面の幅Ｗ５１と等しいか、ケース２６の広い側面の幅Ｗ５１より小さい場合、ケース２６の広い側面の表面の一部が外部に露出し得る。
したがって、本実施形態によれば、第３部分５９２ｃの幅Ｗ５６と第５部分５９２ｅの幅Ｗ５７の幅との和は、ケース２６の第１側面２６１の幅Ｗ５１より広いことが好ましい。
したがって、本実施形態によれば、絶縁テープ５９２の第３部分５９２ｃおよび第５部分５９２ｅが重なって位置し、ケース２６の第１側面２６１に結合されることが可能である。
この時、絶縁テープ５９２の第３部分５９２ｃと第５部分５９２ｅとが出会う部分には段差が形成できる。
【００７３】
結局、本実施形態によれば、ケース２６の第１ないし第４側面２６１、２６２、２６３、２６４が、外部に露出することなく、外部絶縁部材５９０によって密閉されることが可能である。
さらに、本実施形態によれば、ケース２６の第１ないし第４側面２６１、２６２、２６３、２６４を絶縁テープ５９２で囲み、絶縁テープ５９２の上に結合される絶縁カバー５９１がケース上部２６５に結合されるため、ケース２６と外部絶縁部材５９０とが容易に結合されることが可能である。
【００７４】
以上、本発明の好ましい実施形態について説明したが、本発明は、これに限定されるものではなく、特許請求の範囲と発明の詳細な説明および添付した図面の範囲内で多様に変形して実施可能であり、これも本発明の範囲に属することは当然である。
【符号の説明】
【００７５】
１００、１０１、２００、３００、４００、５００：二次電池
１０：電極組立体
１１：第１電極
１２：第２電極
１３：セパレータ
２６：ケース
２６１、２６２、２６３、２６４：第１ないし第４側面
３０：第１端子部
４０：第２端子部
５０：第１電極集電部材
６０：第１内部絶縁部材
７０：第２電極集電部材
８０：第２内部絶縁部材
９０、１９０、２９０、３９０、４９０、５９０：外部絶縁部材
９１、１９１、２９１、３９１、４９１、５９１：絶縁カバー
９２、１９２、２９２、３９２、４９２、５９２：第１絶縁テープ
９３、１９３、２９３、３９３、４９３、５９３：第２絶縁テープ
【図１】
2013206884.tif 000003
【図２】
2013206884.tif 000004
【図３】
2013206884.tif 000005
【図４】
2013206884.tif 000006
【図５】
2013206884.tif 000007
【図６】
2013206884.tif 000008
【図７】
2013206884.tif 000009
【図８】
2013206884.tif 000010
【図９】
2013206884.tif 000011